(57)【要約】【課題】固定ガラスの開口に可動ガラスを開閉可能に備えた、主としてワンボックスタイプの車両のサイドウィンドにおいて、従来可動ガラスを開く際には、当該可動ガラスを一旦車室内側に変位させて開放側にスライドさせる必要があった。本発明では、可動ガラスの開閉操作をより楽に行えるようにする。【解決手段】ロック解除ハンドル２１を解除操作するために後方へ押し操作すると、その操作力により可動ガラスが車室内側に変位し、そのまま同じ方向に押し操作すれば可動ガラスが開かれるようにする。従来の車室内側へ変位させる操作をすることなく一方向の操作力のみで可動ガラスが開かれることにより、その開閉操作性を高めることができる。【選択図】図１
2015105087.tif 000002
【特許請求の範囲】
【請求項１】
車両ボディに設けたボディ開口部に固定された固定ガラスと、該固定ガラスに設けたガラス開口部を開閉可能な可動ガラスと、該可動ガラスを閉じ位置でロックするロック装置を備え、前記可動ガラスは、前記固定ガラスに設けた一対の案内レール間にスライド可能に支持されて、前記固定ガラスと面一状態で前記ガラス開口部を閉止する閉じ位置と、前記固定ガラスの車室内側面に沿って重ね合わせ状態に位置して前記ガラス開口部を開放する開放位置との間を移動可能としたウィンドであって、
前記ロック装置は、前記案内レールの案内溝に対して深さ方向に進退してロック位置とアンロック位置に移動するロックピンを備えており、前記案内溝に、該ロックピンが前記ロック位置から前記アンロック位置に移動すると、当該ロックピンに側方に突き出して設けた係合部が案内傾斜面に摺接されて当該ロックピンを車室内側へ変位させるロックピン変位部を設けて、
前記ロック装置のロック解除ハンドルの解除操作により前記可動ガラスを前記閉じ位置から車室内側へ変位させる構成としたウィンド。
【請求項２】
請求項１記載のウィンドであって、前記案内傾斜面は前記ロックピンを車室内側と前記開放位置側との合成方向へ変位させる方向に傾斜して設けられており、前記ロック装置のロック解除ハンドルの解除操作により、前記ロックピンの係合部を前記案内傾斜面に摺接させて、前記可動ガラスを前記閉じ位置から車室内側へ変位させつつ前記開放位置側へ変位させる構成としたウィンド。
【請求項３】
請求項１又は２記載のウィンドであって、前記可動ガラスは、その上部及び下部に設けた支持脚部を、前記固定ガラスに設けた上下一対の案内レールの案内溝に挿入して車両前後方向にスライド可能に支持されており、前記案内溝の底面を車幅方向に傾斜させ、該底面に前記各支持脚部を当接させて前記案内溝の側壁部に当接させる構成としたウィンド。
【発明の詳細な説明】
【技術分野】
【０００１】
この発明は、例えばワンボックスカーと称される車両の側部に設けられるサイドウィンドに関する。
【背景技術】
【０００２】
図１４に示すように車両Ｍの例えば右側部に設けられる比較的大型のサイドウィンド３０には、車両ボディＢの開口部に開閉不能に嵌め付けた固定ガラス３１に、さらに可動ガラス３５を開閉可能に設けて、車室内の開放感を確保しつつ必要に応じて外気の導入をも可能とする形態のものが提供されている。係る形態のサイドウィンド３０に関する従来の技術が下記の特許文献に開示されている。
図１２に示すようにこのサイドウィンド３０は、固定ガラス３１の室内側面に上下一対のレール３２，３３を取り付け、この上下レール３２，３３間に可動ガラス３５を車両前後方向に沿ってスライド可能に支持して、固定ガラス３１に設けた開口３１ａを可動ガラス３５によって開閉可能とする構成を備えている。可動ガラス３５の周囲には可動フレーム３５ａが取り付けられている。可動フレーム３５ａには、当該可動ガラス３５の閉じ状態をロックするためのロック装置３４が取り付けられている。このロック装置３４は、後方へ押し操作することによりロック状態を解除するロック解除ハンドル３４ａを備えている。乗員がロック装置３４のロック解除ハンドル３４ａを後方へ押し操作してロック状態を解除した後に、可動ガラス３５を後方にスライドさせることにより開口３１ａを開放することができる。
【先行技術文献】
【特許文献】
【０００３】
【特許文献１】特許第３９０２６８６号公報
【特許文献２】特許第５３００８６２号公報
【発明の概要】
【発明が解決しようとする課題】
【０００４】
しかしながら、従来のサイドウィンド３０には次のような解決すべき課題があった。
図１３に示すようにこの種のサイドウィンド３０では、走行時の空気抵抗の低減や騒音の発生を防止するために可動ガラス３５が固定ガラス３１に対して面一に閉じられる構成とするものがある。このため、この閉じ形態のサイドウィンド３０では、可動ガラス３５を開く際には、乗員がロック解除ハンドル３４ａを後方へ押し込み操作（操作Ｓ１）してロック装置３４を解除した後に、可動ガラス３５をその板厚方向車室内側に変位させ（操作Ｓ２）、その後車両後方にスライド（操作Ｓ３）させて固定ガラスの車室内側に沿って重ね合わせ状態とすることにより開放することができる。
このように従来のサイドウィンド３０では、可動ガラス３５を開放する際には、乗員は三つの操作Ｓ１〜Ｓ３を行う必要があり、操作Ｓ２の操作方向が他の操作Ｓ１，Ｓ３とは異なることもあいまって当該可動ガラス３５の開放操作が面倒でその取り扱い性を改善する必要があった。
本発明は、係る従来のウィンドの問題を解消するためになされたもので、特に可動ガラスの開操作時の操作性を改善することを目的とする。
【課題を解決するための手段】
【０００５】
上記の課題は下記の発明により解決される。
第１の発明は、車両ボディに設けたボディ開口部に固定された固定ガラスと、固定ガラスに設けたガラス開口部を開閉可能な可動ガラスと、可動ガラスを閉じ位置でロックするロック装置を備え、可動ガラスは、固定ガラスに設けた一対の案内レール間にスライド可能に支持されて、固定ガラスと面一状態でガラス開口部を閉止する閉じ位置と、固定ガラスの車室内側面に沿って重ね合わせ状態に位置してガラス開口部を開放する開放位置との間を移動可能としたウィンドである。第１の発明では、ロック装置は、案内レールの案内溝に対して深さ方向に進退してロック位置とアンロック位置に移動するロックピンを備えており、ロックピンには、側方へ突き出す係合部が設けられている。また、案内溝には、ロックピンを車室内側へ変位させるための案内傾斜面を有するロックピン変位部が設けられている。
第１の発明によれば、車両の搭乗者がロック装置のロック解除ハンドルを解除操作すると、その操作力により可動ガラスがその板厚方向車室内側へ変位する。このため、搭乗者は、ロック解除ハンドルを解除操作すれば、その解除操作方向の操作力のみでそのまま可動ガラスが開放位置側に開かれることとなり、従来のような可動ガラスを車室内側に変位させる操作を意識的に行う必要がなくなる。この点は、可動ガラスを閉じる際にも同様であり、可動ガラスを開放位置から移動させれば、そのまま当該可動ガラスが車室外側に変位して固定ガラスと面一状態に閉じられる。このように、第１の発明によれば、搭乗者は可動ガラスに対して一方向（開き方向）に操作力を加えることにより、可動ガラスがその板厚方向（車幅方向）に変位しつつ面方向に移動して開閉されることから、当該サイドウィンドの操作性及び取り扱い性が大幅に高められる。
第１の発明では、ロック装置のロックピンが案内レールに係合して可動ガラスの閉じ位置がロックされる構成とされ、ロック解除ハンドルの解除操作によりロックピンがロック位置からアンロック位置に移動すると、当該移動動作により係合部がロックピン案内部の案内傾斜面に摺接されて当該ロックピンが車室内側へ変位する構成となっている。
係る構成によれば、搭乗者はロック解除ハンドルを解除操作すれば、そのまま（従来の操作Ｓ２を行うことなく）可動ガラスが閉じ位置から車室内側に変位することから、搭乗者はロック解除ハンドルに対して解除するための一方向の操作力を加えれば、可動ガラスがそのまま開かれる。
【０００６】
第２の発明は、第１の発明において、案内傾斜面は前記ロックピンを車室内側と前記開放位置側との合成方向へ変位させる方向に傾斜して設けられており、前記ロック装置のロック解除ハンドルの解除操作によりロックピンの係合部を案内傾斜面に摺接させて、可動ガラスを閉じ位置から車室内側へ変位させつつ開放位置側へ変位させる構成としたウィンドである。
第２の発明によれば、搭乗者がロック解除ハンドルを解除操作すると、その操作力によりロックピンがアンロック側に移動し、これにより係合部が案内傾斜面に摺接されて当該ロックピンが車室内側へ変位しつつ開放位置側へ案内され、これにより可動ガラスが車室内側に変位しつつ、開放位置側に移動する。このため、搭乗者はロック解除方向の操作力により一層楽に可動ガラスを開放することができる。
第３の発明は、第１又は第２の発明において、可動ガラスは、その上部及び下部に設けた支持脚部を、固定ガラスに設けた上下一対の案内レールの案内溝に挿入して車両前後方向にスライド可能に支持されており、案内溝の底面を車幅方向に傾斜させ、この底面に各支持脚部を当接させて案内溝の側壁部に当接させる構成としたウィンドである。
第３の発明によれば、各支持脚部が傾斜した底面により案内溝の幅方向片側の側壁部に当接した状態に維持されることから、可動ガラス開閉時におけるがたつきを抑制し、また車両走行中等における各支持脚部のがたつき及び異音の発生を防止することができる。
案内溝の底面の傾斜方向は車室外側であっても車室内側であってもよく、また一対の案内レール間で異なる方向に傾斜させてもよい。
【図面の簡単な説明】
【０００７】
【図１】本実施形態に係るサイドウィンドの側面図である。本図は、車両右側のサイドウィンドを車室内側から見た状態を示している。
【図２】上側案内レールを、図１中矢印(II)方向から見た下面図である。
【図３】下側案内レールを、図１中矢印(III)方向から見た平面図である。
【図４】図１の(IV)部拡大図であって、ロックピンの案内レールに対する位置関係を示す縦断面図である。本図は、可動ガラスの閉じ位置における状態を示している。
【図５】ロックピンの案内レールに対する位置関係を示す平面図である。
【図６】ロックピンが案内レールに対して図５中(A)に位置する時点の状態を示す縦断面図である。本図は、可動ガラスの閉じ位置における状態を示している。
【図７】ロックピンが案内レールに対して図５中(B)に位置する時点の状態を示す縦断面図である。本図は、可動ガラスが車室内側に変位した状態を示している。
【図８】ロックピンが案内レールに対して図５中(C)に位置する時点の状態を示す縦断面図である。本図は、可動ガラスが固定ガラスの車室内側に移動した状態を示している。
【図９】本実施形態に係るサイドウィンドの側面図である。本図では、案内レールの支持構造のみが示されており、ロック装置等については図示が省略されている。
【図１０】図９中(X)-(X)線断面矢視図であって、第１結合部材の縦断面図である。
【図１１】図９中(XI)-(XI)線断面矢視図であって、第２結合部材の縦断面図である。
【図１２】従来のサイドウィンドウの側面図である。本図は、車両右側のサイドウィンドを車室内側から見た状態を示している。
【図１３】従来のサイドウィンドにおいて、固定ガラスに対して可動ガラスを開放する際の位置関係を示す横断面図である。
【図１４】右側にサイドウィンドを備えた車両の全体斜視図である。
【発明を実施するための形態】
【０００８】
次に、本発明の実施形態を図１〜図１１に基づいて説明する。以下説明する実施形態では、車両Ｍの右側部に設けられたサイドウィンド１を例示する。図１に示すように本実施形態のサイドウィンド１は、車両Ｍのボディ開口部に開閉不能に嵌め付けた固定ガラス２と、固定ガラス２に設けた開口部２ａを開閉可能な可動ガラス１０を備えている。この点も従来構成と同様である。
固定ガラス２の車室内側面には、上下一対の案内レール３，４が相互に平行に取り付けられている。この上下一対の案内レール３，４間に可動ガラス１０が車両前後方向に移動可能に支持されている。
可動ガラス１０の周囲にはガラスフレーム１１が取り付けられている。ガラスフレーム１１の上部前側には上側の支持脚部１２が上方へ突き出す状態に設けられ、下部前側には下側の支持脚部１３が下方へ突き出す状態に設けられている。上下の支持脚部１２，１３は相互に同軸に配置されている。上側の支持脚部１２が上側の案内レール３に係合し、下側の支持脚部１３が下側の案内レール４に係合してガラスフレーム１１ひいては可動ガラス１０の前側が案内される。
図２及び図３に示すように上下の案内レール３，４は、相互に上下対称に構成されている。上下の案内レール３，４には、前側の案内溝３ｆ，４ｆと後側の案内溝３ｒ，４ｒが設けられている。可動ガラス１０の前側の支持脚部１２，１３が前側の案内溝３ｆ，４ｆに挿入されて案内される。可動ガラス１０の後側の支持脚部が後側の案内溝３ｒ，４ｒに挿入されて案内される。後述するように可動ガラス１０の後側の支持脚部としては、ロックピン２４が用いられる。
前側の案内溝３ｆ，４ｆを相互に上下で対向させ、後側の案内溝３ｒ，４ｒを相互に上下で対向させた状態で、当該上下の案内レール３，４が固定ガラス２の車室内側面に固定されている。この上下一対の案内レール３，４は一定の間隔をおいて相互に平行な状態に固定されている。前側の案内溝３ｆ，４ｆ及び後側の案内溝３ｒ，４ｒの前端部は、それぞれ車室外側に湾曲している。
前側の支持脚部１２，１３がそれぞれ上下の前側の案内溝３ｆ，４ｆ内を移動し、かつ後側の支持脚部がそれぞれ上下の後側の案内溝３ｒ，４ｒ内を移動することにより、可動ガラス１０が固定ガラス２の室内側面に沿って前後に開閉される。
前側の案内溝３ｆ，４ｆと後側の案内溝３ｒ，４ｒの前端部がそれぞれ車室外側へ湾曲している。この湾曲範囲に前側の支持脚部１２，１３及び後側の支持脚部（ロックピン２４，２４）が進入することにより可動ガラス１０が、固定ガラス２と面一となる全閉位置と板厚方向車室内側に変位した開き位置のとの間を変位する。
【０００９】
図１に示すように可動ガラス１０の後部側には、ロック装置２０が取り付けられている。このロック装置２０によって、開口部２ａに対する可動ガラス１０の閉じ状態がロックされる。このロック装置２０は、搭乗者が操作するロック解除ハンドル２１を備えている。ロック解除ハンドル２１は、後方へ向けて押し込み操作可能な状態でガラスフレーム１１の車室内側後部に支持されている。ロック解除ハンドル２１の後部には、上下一対のＬ形リンクレバー２２，２２が上下に回動可能に支持されている。両リンクレバー２２，２２の回動先端側には、それぞれ連結ロッド２３が回転可能に結合されている。両連結ロッド２３，２３の先端にはそれぞれロックピン２４が取り付けられている。上側のロックピン２４は、ガラスフレーム１１の上部後ろ側から上方へ突き出す状態に設けられている。下側のロックピン２４は、ガラスフレーム１１の下部後ろ側から下方へ突き出す状態に設けられている。上下のロックピン２４，２４は、相互に同軸に配置され、かつ上下に進退可能に支持されている。上下のロックピン２４，２４は、それぞれガラスフレーム１１との間に介装した圧縮ばね２５により当該ガラスフレーム１１から突き出す方向に付勢されている。
Ｌ形リンクレバー２２，２２、連結ロッド２３，２３、ロックピン２４，２４及び圧縮ばね２５，２５は、上下対称に配置されている。
ロック解除ハンドル２１を解除方向（図１２のＳ１方向）に操作すると、上下のリンクレバー２２，２２が回動して連結ロッド２３，２３が変位することにより、上下のロックピン２４，２４がそれぞれ圧縮ばね２５に抗して引き込む方向（アンロック側）に変位する。上下のロックピン２４，２４がアンロック側に変位することにより、当該ロックピン２４，２４の案内レール３，４に対する係合状態が解除されて可動ガラス１０を後方へスライドさせて開くことができる。
【００１０】
図２及び図３に示すように後側の案内溝３ｒ，４ｒの前部（車室外側へ湾曲した部分）には、それぞれロックピン変位部５が設けられている。このロックピン変位部５は、ロックピン２４のアンロック側への変位動作を利用して当該ロックピン２４を車室内側かつ後方（開き側）へ案内する機能を有している。ロックピン変位部５の下面には、ロックピン２４を車室内側かつ後方へ案内するための案内傾斜面５ａが設けられている。この案内傾斜面５ａは、車室内側に傾斜する傾斜面と後方に傾斜する傾斜面が合成された三次元的な傾斜面に形成されている。
一方、図４に示すようにロックピン２４の突き出し側の先端には、前側に突き出す円柱体形状の係合部２４ａと後側に突き出す円柱体形状の係合部２４ｂが相互に同軸かつ一体に設けられている。下側のロックピン２４がアンロック側（上方）に変位するとこれと一体で前側の係合部２４ａと後側の係合部２４ｂがロックピン変位部５の案内傾斜面５ａに摺接されつつ上方へ変位する。このため、ロックピン２４は車室内側と後方の合成方向に変位しつつアンロック側に変位する。
図５〜図８には、ロック解除ハンドル２１のアンロック操作によるロックピン２４の移動状態が示されている。図５に示すように可動ガラス１０の閉じ状態では、ロックピン２４は、図中（Ａ）で示すロック位置に位置する。図６に示すようにこのロック位置（Ａ）では、ロックピン２４の先端部は案内溝４ｒ内において車室内側への変位を規制された状態となっている。このため、可動ガラス１０は固定ガラス２と面一に位置する閉じ位置にロックされた状態となっている。
【００１１】
搭乗者がロック解除ハンドル２１をアンロック側へ押し操作（図１２で示すＳ１操作）すると、上下のロックピン２４，２４がそれぞれ引き込み方向（アンロック方向）に移動する。図７に示すように例えば下側のロックピン２４がアンロック方向（上方）へ移動すると、その前後の係合部２４ａ，２４ｂがロックピン変位部５の下面に摺接されることにより、当該ロックピン２４が車室内側かつ後方へ変位され、その結果ロックピン２４は図５中（Ｂ）で示す中間位置を経て（Ｃ）で示す開放位置に移動する。上下のロックピン２４，２４が同時に中間位置（Ｂ）を経て開放位置（Ｃ）に移動することにより可動ガラス１０の後部側が車室内側に変位しつつ後方（開き側）に変位する。
このように、搭乗者はロック解除ハンドル２１を図１２中Ｓ１で示すロック解除方向（後方）に押し操作すると、上下のロックピン２４，２４が引き込み方向（アンロック方向）に移動するとともに、車室内側かつ後方へ案内されて可動ガラス１０の後部側が車室内側へ変位しつつ開き側へスライドされる。従って、搭乗者はロック解除ハンドル２１をアンロック側へ押し操作Ｓ１すると、ロック装置２０がアンロックされるとともに、可動ガラス１０の後部側が車室内側かつ開き側に変位する。従って、搭乗者はロック解除ハンドル２１をそのままアンロック側に押し操作れば、可動ガラス１０をロック位置から車室内側に変位させて後方の全開位置まで開放することができる。
ロックピン２４が図５中（Ｃ）で示す開放位置に移動すると、当該ロックピン２４の先端部は案内溝４ｒ内に進入した状態となる。このため、搭乗者はそのままロック解除ハンドル２１を後方へ押し操作することにより後側のロックピン２４，２４を案内溝３ｒ，４ｒ内に沿って後退させ、かつ前側の上下の支持脚部１２，１３を案内溝３ｆ，４ｆ内に沿って後退させて可動ガラス１０を開放位置までスライドさせることができる。可動ガラス１０は、固定ガラス２の車室内側に沿って重なり合った状態に開放される。
開放された可動ガラス１０は、搭乗者が当該可動ガラス１０を前側へスライドさせ、後側のロックピン２４，２４が中間位置（Ｂ）に至った時点で、当該可動ガラス１０の後部側を車室外側へ押すことにより閉じ位置（固定ガラス２と面一となる位置）に移動させることができる。可動ガラス１０が閉じ位置に移動すると、後側のロックピン２４，２４が圧縮ばね２５によりロック側に移動して、当該可動ガラス１０が閉じ位置にロックされる。
【００１２】
図８に示すように後側の案内溝４ｒの底部は、車室内側へ下る方向に傾斜している。この底部傾斜面４ａにロックピン２４を上方から当接させることにより、当該ロックピン２４が車室内側の溝側壁部４ｂに当接する方向へ案内されるようになっている。この点は、上側の案内溝３ｒについても同様で、同じく車室内側へ下る方向に傾斜した底部傾斜面が形成されており、上側のロックピン２４が車質内側の溝側壁部４ｂに当接する方向に案内されるようになっている。
また、前側の支持脚部１２，１３を案内する上下の案内レール３，４の底面についても、同様の傾斜面が設けられており、この底部傾斜面に支持脚部１２，１３を当接させることにより当該支持脚部１２，１３が車室内側の溝側壁部４ｂに当接されるようになっている。
このように前側上下の支持脚部１２，１３及び上下のロックピン２４，２４がそれぞれ案内溝３ｆ，４ｆ，３ｒ，４ｒの車室内側の溝側壁部４ｂに当接される方向に案内されることにより、可動ガラス１０のスムーズなスライド動作が確保されるとともに、車両走行時等における当該可動ガラス１０のがたつきや異音の発生が抑制されるようになっている。
【００１３】
次に、図９及び図１０に示すように、上下一対の案内レール３，４は、それぞれ固定ガラス２とは別の部材である第１結合部材６，６を介して車両ボディＢ側に結合されている。本実施形態の場合、第１結合部材６〜６にはそれぞれ帯板形状の薄鋼板が用いられている。上下の案内レール３，４は、固定ガラス２の車室内側の側面に接着されるとともに、それぞれ前後の２箇所をこの第１結合部材６，６を介して車両ボディＢに結合されている。
固定ガラス２は、その周囲に塗布した接着剤７によって車両ボディＢの開口部に固定されている。各第１結合部材６の一端側は、この接着剤７を介して固定ガラス２のみならず車両ボディＢ側に対して直接結合されている。各第１結合部材６の他端側は、案内レール３，４の車室外側の側面に例えば溶接されて剛体結合されている。
このように上下一対の案内レール３，４が、固定ガラス２とは別に第１結合部材６〜６によて直接車両ボディＢ側に結合されている。このため、例えば固定ガラス２が損傷等を受けた場合であっても案内レール３，４の車両ボディＢに対する取り付け状態が維持され、これにより可動ガラス１０の取り付け状態を維持することができる。
また、図９及び図１１に示すように上下一対の案内レール３，４は、同じく固定ガラス２とは異なる第２結合部材８を介して相互に剛体結合されている。第２結合部材８の上部は、上側の案内レール３に溶接されて剛体結合されている。第２結合部材８の下部は、下側の案内レール４に溶接されて剛体結合されている。この第２結合部材８を介して上下の案内レール３，４は相互に一定の間隔をおいて平行に配置された状態に維持されている。なお、上記したように上下の案内レール３，４は固定ガラス２の車室内側の側面に接着により取り付けられている。第２結合部材８も接着により固定ガラス２の車室内側の側面に結合されている。
このように第２結合部材８を介して上下一対の案内レール３，４の相対位置が維持されることから、例えば固定ガラス２が損傷等を受けた場合であっても案内レール３，４の相互に一定の間隔をおいて平行に配置された状態が維持され、これにより可動ガラス１０の取り付け状態ひいては前後にスライド操作可能な状態が維持される。
【００１４】
以上のように構成した本実施形態のサイドウィンド１によれば、可動ガラス１０を開放する際に、搭乗者がロック解除ハンドル２１を後方のアンロック方向へ押し操作すると、その押し操作力によって上下のロックピン２４，２４がアンロック側に引き込まれて当該可動ガラス１０のロック状態が解除されるとともに、当該可動ガラス１０がその後部側を車室内側に変位させつつ開放側にスライドされる。
このことから、搭乗者はロック解除ハンドル２１にアンロック方向（後方）への押し操作力を加えれば、その押し操作力によって可動ガラス１０を固定ガラス２に対して面一となる閉じ位置から固定ガラス２の車室内側の側面に沿って重ね合わせ状態となる開放位置までスライドさせることができる。このため、本実施形態のサイドウィンド１によれば、従来のようにロック装置３４のアンロック操作方向とは異なる方向の操作（図１３に示す操作Ｓ２）を行うことなく、一方向の操作力Ｓ１のみを加えれば可動ガラス１０を車室内側に変位させて開放することができる。
一方、上下のロックピン２４，２４がそれぞれ圧縮ばね２５によって突き出す方向（ロック方向）に付勢されている。このため、開放された可動ガラス１０を前側へスライドさせて閉じる際には、当該ロックピン２４，２４が前後の係合部２４ａ，２４ｂのロックピン変位部５に対する摺接作用により、図５中（Ｂ）で示す位置から（Ｃ）で示す位置まで車室外側に変位しつつロック位置に突き出される。このことから、搭乗者は可動ガラス１０を閉じる際にも、当該可動ガラス１０の後部を車室外側に変位させる操作をする必要がなく、前方へ向けたスライド操作力のみを加えることにより、当該可動ガラス１０を固定ガラス２と面一となる閉じ位置に移動させることができる。可動ガラス１０が閉じ位置に移動されると上下のロックピン２４，２４が自動的に突き出されて当該可動ガラス１０の閉じ位置がロックされる。
このように、本実施形態のサイドウィンド１によれば、可動ガラス１０に対して一方向の操作力を加えれば固定ガラス２と面一となる閉じ位置と、固定ガラス２の車室内側に沿って重ね合わされた開放位置との間で当該可動ガラス１０を移動させることができ、この点で当該可動ガラス１０の開閉操作性を高めることができる。
【００１５】
また、上下の案内レール３，４に対して可動ガラス１０を支持する前側上下の支持脚部１２，１３及び後側上下のロックピン２４，２４が案内溝３ｆ，４ｆ，３ｒ，４ｒの底部傾斜面に当接されてそれぞれ車室内側の溝側壁部４ｂに当接する状態に保持されることから、当該可動ガラス１０のスムーズな開閉動作を実現できるとともに、車両走行時等におけるがたつきや異音の発生を抑制することができる。
さらに、上下一対の案内レール３，４が固定ガラス２に対して接着により取り付けられるとともに、それぞれ前後２箇所において第１結合部材６，６により車両ボディＢ側に直接結合される構成となっている。このため、例えば固定ガラス２が損傷等を受けた場合であっても上下の案内レール３，４の車両ボディＢに対する取り付け状態が維持され、従って可動ガラス１０の車両ボディＢに対する取り付け状態及びスムーズに開閉される状態を維持することができる。
また、上下の案内レール３，４が第２結合部材８を介して相互に結合されている。この第２結合部材８によって両案内レール３，４の相互に一定の間隔をおいて平行に支持された状態が維持されることから、この点でも可動ガラス１０の車両ボディＢに対する取り付け状態及びスムーズに開閉される状態を維持することができる。
【００１６】
以上説明した実施形態には種々変更を加えることができる。例えば、車両の右側のサイドウィンドを例示したが、左側のサイドウィンドについて例示した可動ガラスを適用することができる。
また、車両Ｍの後側へスライドさせて開放する可動ガラスを例示したが、逆に前側へスライドさせて開放する形態の可動ガラス、あるいは上方又は下方へスライドさせて開放する形態の可動ガラスについて例示したロックピン変位部５を適用することにより同様の作用効果を得ることができる。
また、ロック解除ハンドル２１の解除操作により、ロックピン２４をロックピン変位部５の案内傾斜面５ａに摺接させて車室内側と開放位置側（後方）との合成方向に変位させる構成を例示したが、車室内側のみへ変位させる構成としてもよい。前者の場合は、案内傾斜面５ａの傾斜方向が前記したように車室内側と開放位置側の双方となる三次元的な傾斜面であるのに対して、後者の場合は、車室内側のみに傾斜する二次元的な傾斜面となる。
さらに、車両側部のサイドウィンドに限らず、例えばキャブオーバ型トラックのリヤウィンドについて、例示した可動レール案内構造を適用することにより同様の作用効果を得ることができる。
【符号の説明】
【００１７】
Ｍ…車両
Ｂ…車両ボディ
１…サイドウィンド
２…固定ガラス
３…案内レール（上側）、３ｆ…案内溝（前側）、３ｒ…案内溝（後側）
４…案内レール（下側）、４ｆ…案内溝（前側）、４ｒ…案内溝（後側）
４ａ…底部傾斜面、４ｂ…溝側壁部
５…ロックピン変位部、５ａ…案内傾斜面
６…結合部材（第１結合部材）
７…接着剤
８…結合部材（第２結合部材）
１０…可動ガラス
１１…ガラスフレーム
１２…支持脚部（上側）
１３…支持脚部（下側）
２０…ロック装置
２１…ロック解除ハンドル
２２…リンクレバー
２３…連結ロッド
２４…ロックピン、２４ａ…係合部(前側）、２４ｂ…係合部(後側）
２５…圧縮ばね
【図１】
2015105087.tif 000003
【図２】
2015105087.tif 000004
【図３】
2015105087.tif 000005
【図４】
2015105087.tif 000006
【図５】
2015105087.tif 000007
【図６】
2015105087.tif 000008
【図７】
2015105087.tif 000009
【図８】
2015105087.tif 000010
【図９】
2015105087.tif 000011
【図１０】
2015105087.tif 000012
【図１１】
2015105087.tif 000013
【図１２】
2015105087.tif 000014
【図１３】
2015105087.tif 000015
【図１４】
2015105087.tif 000016